(57)【特許請求の範囲】
【請求項１】
カーテンレールに沿って複数のランナーを走行可能とすることで、前記ランナーによって吊り下げたカーテン生地を開閉可能としたカーテンに設けられるカーテン開閉装置であって、
前記カーテン生地の端部に設けられる先頭ランナー内に、前記カーテン生地の引き操作による負荷が掛かると前記先頭ランナー内を移動する第１の磁石を備え、
前記先頭ランナーは、前記カーテン生地の閉塞時には、前記第１の磁石の対向する面が異極となる第２の磁石あるいは磁性体を備えた被吸着部に吸着し、
前記先頭ランナーに前記カーテン生地の引き操作による負荷が掛かると、前記第１の磁石が前記先頭ランナー内を移動して前記第２の磁石あるいは磁性体から離間し、前記先頭ランナーと前記被吸着部との吸着が解除されることを特徴とする、カーテン開閉装置。
【請求項２】
前記被吸着部は、前記第２の磁石を備え、
前記先頭ランナーに前記カーテン生地の引き操作による負荷が掛かると、前記第１の磁石が前記先頭ランナー内を移動して前記第２の磁石と対向する面が同極となり、前記先頭ランナーと前記被吸着部との吸着が解除されることを特徴とする、請求項１に記載のカーテン開閉装置。
【請求項３】
前記先頭ランナーは、前記カーテン生地が連結されるハンガー部を備え、前記ハンガー部の摺動に連動して前記第１の磁石が前記先頭ランナー内を移動することを特徴とする、請求項１又は２に記載のカーテン開閉装置。
【請求項４】
前記被吸着部は、前記第２の磁石を備え、
前記第１の磁石及び前記第２の磁石はＮ極とＳ極とが上下方向に配置されており、
前記カーテン生地の引き操作による前記先頭ランナーにかかる負荷に連動して、前記第１の磁石が前記第２の磁石に対して前記先頭ランナー内で上下方向に相対移動することを特徴とする、請求項１〜３のいずれかに記載のカーテン開閉装置。
【請求項５】
前記被吸着部は、前記第２の磁石を備え、
前記第１の磁石及び前記第２の磁石はＮ極とＳ極とが円周上に相互に配置されており、
前記カーテン生地の引き操作による前記先頭ランナーにかかる負荷に連動して、前記第１の磁石が前記第２の磁石に対して前記先頭ランナー内で相対回転することを特徴とする、請求項１〜３のいずれかに記載のカーテン開閉装置。
【請求項６】
前記先頭ランナーは、
前記カーテンの引き操作による負荷がかかると移動するラックギアと、
前記ラックギアに噛み合うピニオンギアと、
によって構成される回転機構を備え、
前記第１の磁石は、前記回転機構によって前記第２の磁石に対して前記先頭ランナー内で相対回転することを特徴とする、請求項５に記載のカーテン開閉装置。
【請求項７】
前記カーテン生地は２枚のカーテン生地から構成され、前記先頭ランナーは２枚の前記カーテン生地の隣り合う一方の端部に設けられ、前記被吸着部は２枚の前記カーテン生地の隣り合う他方の端部に設けられる先頭ランナーであることを特徴とする、請求項１〜６のいずれかに記載のカーテン開閉装置。
【請求項８】
前記２枚のカーテン生地に設けられるそれぞれ先頭ランナーには、前記先頭ランナー同士が吸着しているときに前記一方のカーテン生地の引き操作による負荷に連動して前記一方の先頭ランナーの磁石が移動したときに前記他方の先頭ランナーの磁石の移動を規制する移動規制部が設けられることを特徴とする、請求項７に記載のカーテン開閉装置。
【発明の詳細な説明】
【技術分野】
【０００１】
本発明は、カーテン生地を閉塞した状態に保持するカーテン開閉装置に関する。
【背景技術】
【０００２】
カーテン生地を閉塞した状態に保持する機能を設けたカーテンとして、実公平２−１１９０２号公報（特許文献１）に示されるものがある。同文献に示されるカーテンでは、カーテン生地を閉塞した状態に保持する機能は、カーテンレールに走行可能に吊り下げられ、カーテン生地を吊り下げるランナーのうち、２枚のカーテン生地の隣り合う端部にそれぞれ設けられる先導ランナーに設けられる。先導ランナーには、進行方向側に開口した収容室が設けられており、収容室内に金属枠を磁石を挟着した状態で収容する。収容室の内側には可撓性係止部が設けられ、金属枠の係合部を可塑性係止部に係合させることで、収容室に係脱不能に係合させる。
【０００３】
このように構成された一対の先導ランナーが互いに近接して向き合うと、先導ランナーに設けた磁石の吸着力によって、一方の先導ランナーと他方の先導ランナーとが吸着する。よって、両先導ランナーは互いに連結され、カーテン生地を閉塞した状態に保持することができる。
【先行技術文献】
【特許文献】
【０００４】
【特許文献１】実公平２−１１９０２号公報
【発明の概要】
【発明が解決しようとする課題】
【０００５】
しかしながら、カーテン生地を閉塞状態で保持するためには、風等に煽られても簡単には開放されない程度の大きさの吸着力が必要である。このため、カーテン生地を開放する際には、磁石の吸着力に抗して先導ランナー同士を離間させる必要がある。よって、ある程度大きな操作荷重が必要となるため、操作性に問題があった。
【０００６】
そこで本発明は、このような問題に鑑みてなされたもので、その目的とするところは、磁石の吸着力によってカーテン閉塞状態が保持されるカーテンであっても、比較的軽い力でカーテン生地の開放操作を行うことができるカーテン開閉装置を提供することにある。
【課題を解決するための手段】
【０００７】
上記課題を解決するために、本発明によれば、カーテンレールに沿って複数のランナーを走行可能とすることで、前記ランナーによって吊り下げたカーテン生地を開閉可能としたカーテンに設けられるカーテン開閉装置であって、前記カーテン生地の端部に設けられる先頭ランナー内に、前記カーテン生地の引き操作による負荷が掛かると前記先頭ランナー内を移動する第１の磁石を備え、前記先頭ランナーは、前記カーテン生地の閉塞時には、前記第１の磁石の対向する面が異極となる第２の磁石あるいは磁性体を備えた被吸着部に吸着し、前記先頭ランナーに前記カーテン生地の引き操作による負荷が掛かると、前記第１の磁石が前記先頭ランナー内を移動して前記第２の磁石あるいは磁性体から離間し、前記先頭ランナーと前記被吸着部との吸着が解除されることを特徴とする、カーテン開閉装置が提供される。
【０００８】
かかる構成によれば、カーテン生地の引き操作により、先頭ランナーに内蔵した第１の磁石が被吸着部の第２の磁石に対して先頭ランナー内を移動して離間すると、先頭ランナーと被吸着部との吸着を容易に解除できるため、比較的軽い力でカーテン生地の開放操作を行うことができる。
【０００９】
本発明は様々な応用が可能である。例えば、前記被吸着部は、前記第２の磁石を備え、前記先頭ランナーに前記カーテン生地の引き操作による負荷が掛かると、前記第１の磁石が前記先頭ランナー内を移動して前記第２の磁石と対向する面が同極となり、前記先頭ランナーと前記被吸着部との吸着が解除されるようにしてもよい。先頭ランナーに内蔵した第１の磁石が被吸着部の第２の磁石に対して先頭ランナー内を移動して同極同士が対向するため、先頭ランナーと被吸着部とが反発し、容易に先頭ランナーと被吸着部とを離間することができる。従来のカーテンのように単に磁石が異極のみが対向配置されている場合、磁石が相対移動しても同極同士が対向することはないが、本発明によれば、同極同士が対向するため、効率的にカーテン生地の開放操作を行うことができる。
【００１０】
また、前記先頭ランナーは、前記カーテン生地が連結されるハンガー部を備え、前記ハンガー部の摺動に連動して前記第１の磁石が前記先頭ランナー内を移動するようにしてもよい。カーテン生地を吊り下げるハンガー部の摺動に合わせて第１の磁石を先頭ランナー内で移動させることができるため、カーテン生地の引き操作と先頭ランナーと被吸着部との吸着解除を確実に連動させることができる。
【００１１】
また、前記被吸着部は、前記第２の磁石を備え、前記第１の磁石及び前記第２の磁石はＮ極とＳ極とが上下方向に配置されており、前記カーテン生地の引き操作による前記先頭ランナーにかかる負荷に連動して、前記第１の磁石が前記第２の磁石に対して前記先頭ランナー内で上下方向に相対移動するようにしてもよい。カーテン生地を下方に引くと、それに合わせて先頭ランナーの第１の磁石が被吸着部の第２の磁石に対して先頭ランナー内で上下方向に相対移動し、第１の磁石が第２の磁石から離間するため、容易に先頭ランナーと被吸着部との吸着を解除できる。
【００１２】
また、前記被吸着部は、前記第２の磁石を備え、前記第１の磁石及び前記第２の磁石はＮ極とＳ極とが円周上に相互に配置されており、前記カーテン生地の引き操作による前記先頭ランナーにかかる負荷に連動して、前記第１の磁石が前記第２の磁石に対して前記先頭ランナー内で相対回転するようにしてもよい。カーテン生地を下方に引くと、それに合わせて先頭ランナーの第１の磁石が被吸着部の第２の磁石に対して先頭ランナー内で相対回転し、第１の磁石が第２の磁石から離間するため、容易に先頭ランナーと被吸着部との吸着を解除できる。
【００１３】
さらに、前記先頭ランナーは、前記カーテンの引き操作による負荷がかかると移動するラックギアと、前記ラックギアに噛み合うピニオンギアと、によって構成される回転機構を備え、前記第１の磁石は、前記回転機構によって前記第２の磁石に対して前記先頭ランナー内で相対回転するようにしてもよい。このように、カーテンの引き操作による負荷がかかると移動するラックギアと、ラックギアに噛み合うピニオンギアとによって回転機構を構成するため、カーテンの引き操作だけで第１の磁石を第２の磁石に対して先頭ランナーで確実に相対回転させることができる。よって、第１の磁石と第２の磁石とを離間することができるため、容易に先頭ランナーと被吸着部との吸着を解除できる。
【００１４】
また、前記カーテン生地は２枚のカーテン生地から構成され、前記先頭ランナーは２枚の前記カーテン生地の隣り合う一方の端部に設けられ、前記被吸着部は２枚の前記カーテン生地の隣り合う他方の端部に設けられる先頭ランナーであってもよい。よって、先頭ランナー同士の吸着を容易に解除できるため、比較的軽い力でカーテン生地の開放操作を行うことができる。
【００１５】
また、前記２枚のカーテン生地に設けられるそれぞれ先頭ランナーには、前記先頭ランナー同士が吸着しているときに前記一方のカーテン生地の引き操作による負荷に連動して前記一方の先頭ランナーの磁石が移動したときに前記他方の先頭ランナーの磁石の移動を規制する移動規制部が設けられるようにしてもよい。かかる構成によれば、２枚のカーテン生地のうち、一方のカーテン生地の引き操作による一方の先頭ランナーにかかる負荷に連動して磁石が移動しても、他方のカーテン生地の先頭ランナーに設けた磁石は移動規制部によって移動が規制されている。このため、一方の先頭ランナーの磁石に他方の先頭ランナーの磁石が追随しない。よって、２枚のカーテン生地のどちらを引き操作しても、一方の先頭ランナーの磁石と他方の先頭ランナーの磁石とを離間することができるため、容易に先頭ランナー同士の吸着を解除できる。また、一方の先頭ランナーと他方の先頭ランナーとを同じ構成にできるので、部品を共有化することができる。
【００１６】
上記の先頭ランナーは、先頭ランナーそれ自体又は先頭ランナーの構成の一部を、カーテン開閉装置として、独立して市場取引の対象とすることができる。
【発明の効果】
【００１７】
本発明によれば、磁石の吸着力によって閉塞状態が保持されるカーテンであっても、比較的軽い力でカーテン生地の開放操作を行うことができる。本発明のその他の効果については、後述する発明を実施するための形態においても説明する。
【図面の簡単な説明】
【００１８】
【図１】第１の実施形態のカーテン１００の全体構成を概略的に示した図である。
【図２】磁石が移動する先頭ランナー１６０を示し、（ａ）は正面図であり、（ｂ）は側面図である。
【図３】先頭ランナー１６０を示す図であり、（ａ）は図２のａ−ａ断面図であり、（ｂ）は図２のｂ−ｂ断面図である。
【図４】先頭ランナー１６０を示す図であり、（ａ）は図２のｃ−ｃ断面図であり、（ｂ）は図２のｄ−ｄ断面図である。
【図５】ハンガー部が引き下げられた状態を示し、（ａ）は図２のｃ−ｃ断面から見た図であり、（ｂ）は図２のｂ−ｂ断面から見た図であり、（ｃ）は図２のｄ−ｄ断面から見た図である。
【図６】磁石が移動しない先頭ランナー１８０を示し、（ａ）は側面図であり、（ｂ）は（ａ）のｅ−ｅ断面図である。
【図７】カーテン１００を閉塞する動作を説明するための図であり、（ａ）はカーテンを閉じる途中の状態を示し、（ｂ）はカーテンを閉じた状態を示す。
【図８】カーテン１００を開放するときの先頭ランナー１６０の状態を説明するための図であり、（ａ）はカーテン生地１４０に操作力を加える前の状態を示し、（ｂ）はカーテン生地１４０に操作力を加えた状態を示す。
【図９】カーテン１００を開放するときの先頭ランナー１６０の動作を説明するための図であり、（ａ）は隣り合う先頭ランナー１６０、１８０が吸着している状態を示し、（ｂ）は先頭ランナー１６０の磁石ＭＡ、ＭＢが吸着しない位置に移動した状態を示し、（ｃ）は隣り合う先頭ランナー１６０、１８０同士が離隔していく状態を示す。
【図１０】第２の実施形態の先頭ランナー２６０の構成を概略的に示す図であり、（ａ）は正面図であり、（ｂ）は側面図である。
【図１１】第２の実施形態の先頭ランナー２６０の構成を概略的に示す図であり、（ａ）は図１０のｆ−ｆ断面図であり、（ｂ）は図１０のｇ−ｇ断面図であり、（ｃ）は図１０のｈ−ｈ断面図である。
【図１２】ハンガー部が引き下げられた状態を示し、（ａ）は図１０のｆ−ｆ断面から見た図であり、（ｂ）は図１０のｇ−ｇ断面から見た図であり、（ｃ）は図２０のｈ−ｈ断面から見た図である。
【図１３】第３の実施形態の先頭ランナー３６０の構成を概略的に示す図であり、（ａ）は側面図であり、（ｂ）は（ａ）のｉ−ｉ断面図である。
【図１４】先頭ランナー３６０の動作を説明するための図であり、（ａ）はハンガー部が引き下げられた状態を示し、（ｂ）はハンガー部に引き下げの力が掛っていない状態を示す。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
第１の実施形態に係るカーテン１００の全体の構成について、図１を参照しながら説明する。図１は、本実施形態のカーテン１００の全体構成を概略的に示した図である。本実施形態にかかるカーテン１００は、カーテンレール１２０に沿って複数のランナーＲを走行可能とすることで、ランナーＲによって吊り下げたカーテン生地１４０を開閉可能としたものであり、２枚のカーテン生地１４０−１、１４０−２の隣り合う端部に設けられる一対の先頭ランナー１６０、１８０は、異なる極性が配列された磁石Ｍを相対移動可能に備え、一対の先頭ランナー１６０、１８０は、カーテン生地１４０の閉塞時には、磁石Ｍの対向する面が異極となり、先頭ランナー１６０、１８０同士が吸着し、一対の先頭ランナー１６０、１８０のいずれか一方にカーテン生地１４０の引き操作による負荷が掛かると、磁石が相対移動して離間し、先頭ランナー１６０、１８０同士の吸着が解除されることを特徴とする。
【００２１】
以下、本実施形態のカーテン１００の各構成要素について、図１〜図６を参照しながら説明する。
【００２２】
カーテンレール１２０は窓枠などに固定されてカーテンを吊り下げるものである。カーテンレール１２０は、図１に示したように、長尺なレールであり、複数のランナーＲを走行可能に吊り下げる。また、カーテン生地１４０は、カーテンレール１２０から吊り下げられて、窓などを覆うものである。カーテン生地１４０は、図１に示したように、上端に設けた複数のフック１４１によってランナーＲに吊り下げられる。
【００２３】
（ランナーＲ）
ランナーＲは、前述のようにカーテン生地１４０を吊り下げるものであり、カーテンレール１２０に沿って走行可能に複数配置される。２枚のカーテン生地１４０−１、１４０−２の隣り合う端部には、図１に示したように、一対の先頭ランナー１６０、１８０が設けられる。一対の先頭ランナー１６０、１８０のうち、後述のように、一方の先頭ランナー１６０は、ランナーケース１６１に対してハンガー部１６２が摺動する構成となっており、他方の先頭ランナー１８０は、ランナーケース１８１に対してハンガー部１８２が摺動しない構成となっている。
【００２４】
（先頭ランナー１６０）
次に、本実施形態に特徴的な構成である先頭ランナー１６０について説明する。先頭ランナー１６０は、本発明のカーテン開閉装置の一例であり、２枚のカーテン生地１４０−１、１４０−２の隣り合う端部のうちの一方のカーテン生地１４０−１の端部を吊り下げるものである。そして、本実施形態の先頭ランナー１６０は、以下に説明するように、カーテン生地１４０の開閉を補助するための機能を設けたことを特徴とする。
【００２５】
先頭ランナー１６０は、図２に示したように、カーテンレール１２０を走行するローラ１６３と、ローラ１６３を回転自在に支持するランナーケース１６１と、カーテン生地１４０のフック１４１を吊り下げるハンガー部１６２と、ハンガー部１６２をランナーケース１６１内に引き込むバネ１６４と、バネ１６４の下端の位置を固定するバネ押さえ１６５と、磁石ＭＡ、ＭＢと、を備えて構成される。なお、以下の説明において、磁石ＭＡ、ＭＢを総称するときは磁石Ｍとする。
【００２６】
ランナーケース１６１は、図３に示したように、下端が開放された収容部１６１ａと、上端の左右両端に上方に突出した突出部１６１ｂ、１６１ｂが形成されている。収容部１６１ａはハンガー部１６２の摺動部１６２ａを収容し、突出部１６１ｂはローラ１６３を回転自在に支持する。ランナーケース１６１は、収容部１６１ａに配置される磁石ＭＡ、ＭＢと対面する壁の厚さが薄くなっており、ランナーケース１６１によって磁力が弱まることが極力防止されるとともに磁石Ｍ同士が直接接触しない構造とすることにより相対移動を円滑にしている。
【００２７】
ハンガー部１６２は、図３に示したように、ランナーケース１６１の下方に突出しており、ハンガー部１６２には、ランナーケース１６１の収容部１６１ａに収容される摺動部１６２ａが形成されている。摺動部１６２ａは収容部１６１ａの形状に沿った形状をしており、収容部１６１ａの上下方向に摺動可能である。摺動部１６２ａには、バネ１６４とバネ押さえ１６５を収容するバネ収容部１６２ｂが形成されている。摺動部１６２ａは、図４（ａ）に示したように、これに一部が断面コの字に形成されることによってバネ収容部１６２ｂを構成している。摺動部１６２ａの一側端部には、後述する磁石ＭＡ、ＭＢを嵌め合わせる円筒状の穴部１６２ｃが形成されている。
【００２８】
ローラ１６３は、図４（ａ）、（ｂ）に示したように、ランナーケース１６１の突出部１６１ｂの両側部に配置されている。ローラ１６３の回転中心には、突出部１６１ｂを回転自在に貫通する回転軸１６３ａの両端が固定されている。
【００２９】
バネ１６４は、図４（ａ）に示したように、摺動部１６２ａのバネ収容部１６２ｂに収容されている。バネ１６４の上端はバネ収容部１６２ｂの上面に当接しており、バネ１６４の下端は、バネ押さえ１６５に当接している。
【００３０】
バネ押さえ１６５は、図４（ａ）に示したように、バネ収容部１６２ｂに挿入されており、挿入方向と直交する両側面がランナーケース１６１の下端に係合されることで固定されている。
【００３１】
磁石ＭＡ、ＭＢは、第１の磁石を構成しており、後述の第２の磁石を構成する磁石ＭＡ、ＭＢと吸着したり、吸着が解除されたりすることによって、先頭ランナー１６０、１８０を吸着したり吸着を解除したりするものである。磁石ＭＡ、ＭＢは、図４（ｂ）に示したように、円筒状の形状をしており、摺動部１６２ａに上下方向に磁石ＭＡ、磁石ＭＢの順に配置されて固定されている。磁石ＭＡと磁石ＭＢは異なる極であり、例えば、磁石ＭＡにＳ極が用いられた場合、磁石ＭＢはＮ極が用いられる。
【００３２】
次に、先頭ランナー１６０の動作について、図５を参照しながら説明する。ハンガー部１６２に、図５の矢印Ａに示したように、下方に引っ張る力が働くと、バネ１６４の付勢力に抗してハンガー部１６２が下降する。よって、磁石ＭＡ、ＭＢが摺動部１６２ａとともに下降する。よって、ランナーケース１６１に対する磁石ＭＡ、ＭＢの位置が移動する。また、ハンガー部１６２が下降すると、バネ収容部１６２ｂの上面がバネ押さえ１６５に近づくため、これらの間のバネ１６４が圧縮する。ハンガー部１６２に力がかからなくなると、バネ１６４の付勢力により摺動部１６２ａが上昇する。よって、磁石ＭＡ、ＭＢが摺動部１６２ａとともに上昇し、ランナーケース１６１に対する磁石ＭＡ、ＭＢの位置が戻る。
【００３３】
（先頭ランナー１８０）
先頭ランナー１８０は、２枚のカーテン生地１４０−１、１４０−２の隣り合う端部のうちの他方のカーテン生地１４０−２の端部を吊り下げるものである。先頭ランナー１８０は、図６に示したように、カーテンレール１２０を走行するローラ１８３と、ローラ１８３を回転自在に支持するランナーケース１８１と、カーテン生地１４０のフック１４１を吊り下げるハンガー部１８２と、磁石ＭＡ、ＭＢと、を備えて構成される。先頭ランナー１８０には先頭ランナー１６０のようなバネ１６４及びバネ押さえ１６５は設けられていない。
【００３４】
ランナーケース１８１は、図６（ａ）に示したように、先頭ランナー１６０のランナーケース１６１とほぼ同様の形状であるが、次の点で相違する。すなわち、ランナーケース１８１の収容部１８１ａには、図６（ｂ）に示したように、前後方向に突出するリブ１８１ｃが形成されている。リブ１８１ｃは、後述のハンガー部１６２が摺動しないようにランナーケース１８１に固定するためのものである。
【００３５】
ハンガー部１８２は、図６（ｂ）に示したように、ハンガー部１６２の摺動部１６２ａに対応する位置に嵌合部１８２ａが形成されている。嵌合部１８２ａは、摺動部１６２ａと同様に収容部１８１ａの形状に沿った形状をしている。先頭ランナー１８０にはバネ１６４及びバネ押さえ１６５が設けられていないため、嵌合部１８２ａには、バネを収容する収容部は形成されておらず、前後壁にランナーケース１８１のリブ１８１ｃが係合する係合部１８２ｂが形成されている。また、嵌合部１８２ａの一側端部には、後述する磁石ＭＡ、ＭＢを嵌め合わせる円筒状の穴部１８２ｃが形成されている。
【００３６】
先頭ランナー１８０に設けられる磁石ＭＡ、ＭＢは、第２の磁石を構成しており、先頭ランナー１６０と同様の磁石が用いられる。磁石ＭＡ、ＭＢは、図６（ｂ）に示したように、嵌合部１８２ａに上下方向に磁石ＭＢ、ＭＡの順に配置されて固定されている。先頭ランナー１８０の磁石ＭＡ、ＭＢの上下方向の配置が先頭ランナー１６０の磁石ＭＡ、ＭＢの上下方向の配置と逆であるため、先頭ランナー１６０と先頭ランナー１８０は吸着したり吸着を解除されたりする。
【００３７】
以上、本実施形態のカーテン１００の全体構成について説明した。次に、本実施形態のカーテン１００の動作について、図７を参照しながら説明する。
【００３８】
カーテン生地１４０を閉塞するときには、図７（ａ）の矢印Ｂに示したように、先頭ランナー１６０、１８０同士が接近する方向に移動させる。これにより、ランナーＲ全体がカーテン生地１４０を閉塞する方向に移動する。図７（ｂ）に示したように、先頭ランナー１６０と先頭ランナー１８０とが当接すると、互いの磁石ＭＡ、ＭＢの吸着力により、先頭ランナー１６０、１８０同士が吸着する。
【００３９】
次に、カーテン１００を開放するときの先頭ランナー１６０の動作について、図８及び図９を参照しながら説明する。
【００４０】
カーテン１００が閉塞しているときには、図８（ａ）に示したように、先頭ランナー１６０の摺動部１６２ａがバネ１６４の付勢力により上昇している。よって、図９（ａ）に示したように、先頭ランナー１６０の磁石ＭＡと磁石ＭＢが先頭ランナー１８０の磁石ＭＢとＭＡにそれぞれ吸着する。よって、先頭ランナー１６０と先頭ランナー１８０が離間することはない。
【００４１】
次に、カーテン１００を開放するために、図８（ｂ）の矢印Ｃに示したように、カーテン生地１４０を下方に引く。これにより、フック１４１を介してハンガー部１６２が引き下げられ、摺動部１６２ａが下降する。摺動部１６２ａが下降すると、図９（ｂ）の矢印Ｄに示したように、先頭ランナー１６０の磁石ＭＡが先頭ランナー１８０の磁石ＭＡと対向する位置まで移動する。よって、同極の磁石ＭＡ、ＭＡ同士が対向するため互いに反発して、図９（ｃ）の矢印Ｅに示したように、先頭ランナー１６０と先頭ランナー１８０とが離間する。
【００４２】
（第１の実施形態の効果）
以上説明したように、本実施形態によれば、カーテン生地１４０の引き操作により、先頭ランナー１６０の磁石ＭＡ、ＭＢが先頭ランナー１８０の磁石ＭＢ、ＭＡに対して上下方向に相対移動して同極同士が対向する。このため、先頭ランナー１６０、１８０同士が反発し、容易に先頭ランナー１６０、１８０同士を離隔することができる。このように、先頭ランナー１６０、１８０同士の吸着を容易に解除できるため、比較的軽い力でカーテン生地１４０の開放操作を行うことができる。
【００４３】
（第２の実施形態）
次に、第２の実施形態に係るカーテンの構成について、図１０及び図１１を参照しながら説明する。図１０及び図１１は、第２の実施形態の先頭ランナー２６０を概略的に示す図である。本実施形態は、第１の実施形態と主に先頭ランナー２６０の構成が異なるものである。すなわち、上記第１の実施形態の先頭ランナー１６０とは磁石ＭＡ、ＭＢの数と配置、及び磁石ＭＡ、ＭＢを移動させる機構が異なるものである。
【００４４】
本実施形態では、上記第１の実施形態と異なる点を中心に説明する。以下の説明において、ランナーケース２６１、収容部２６１ａ、ハンガー部２６２、摺動部２６２ａ、バネ収容部２６２ｂ、ローラ２６３、バネ２６４、バネ押さえ２６５について、上記第１の実施形態のランナーケース１６１、収容部１６１ａ、ハンガー部１６２、摺動部１６２ａ、バネ収容部１６２ｂ、ローラ１６３、バネ１６４、バネ押さえ１２６と同様の点については、重複説明を省略する。
【００４５】
（先頭ランナー２６０）
先頭ランナー２６０は、図１０に示したように、磁石ＭＡ、ＭＢが設けられる磁石ケース２６２ｆを備えている。磁石ケース２６２ｆは軸方向に大径部２６２ｄと小径部２６２ｅが連続して形成されている。大径部２６２ｄには、図１１（ａ）に示したように、円周方向に４つの穴部２６２ｃが形成されており、２つの磁石ＭＡと２つの磁石ＭＢが円周方向に交互に配置されている。小径部２６２ｅには、図１１（ｂ）に示したように、ピニオンギア２６２ｇが形成されている。
【００４６】
磁石ケース２６２ｆの大径部２６２ｄは、図１１（ａ）に示したように、ランナーケース２６１の一側部に形成された円筒部２６１ｃに回転自在に嵌め合わされている。
【００４７】
摺動部２６２ａの一側部は、図１１（ｂ）に示したように断面Ｌ字状に構成されており、断面略Ｌ字状の部分とランナーケース２６１の収容部２６１ａによって、ピニオンギア２６２ｇを収容するギア収容部２６２ｈが構成されている。摺動部２６２ａの断面Ｌ字状の側壁面には、図１１（ｃ）に示したように、ピニオンギア２６２ｇと噛み合うラックギア２６２ｉが形成されている。ラックギア２６２ｉが上下方向に移動することによってピニオンギア２６２ｇが回転する。ピニオンギア２６２ｇの回転角度は４５度に設定されている。
【００４８】
なお、第１の実施形態の先頭ランナー１８０に対応する先頭ランナーにも、磁石ＭＡ、ＭＢが円周方向に配置されているが、磁石ＭＡ、ＭＢの位置は先頭ランナー２６０の磁石ＭＡ、ＭＢの位置とは４５度ずれている。よって、先頭ランナー２６０は、ハンガー部２６２に操作力が作用していないときは、対向する先頭ランナーに吸着するようになっている。
【００４９】
次に、先頭ランナー２６０の動作について、図１２を参照しながら説明する。ハンガー部２６２に、図１２の矢印Ｆに示したように、下方に引っ張る力が働くと、バネ２６４の付勢力に抗してハンガー部２６２が下降する。このため、摺動部２６２ａが下降するので、ラックギア２６２ｉも下降する。ラックギア２６２ｉの下降によって、これと噛み合っているピニオンギア２６２ｇが４５度回転する。よって、磁石ケース２６２ｆが４５度回転するため、磁石ＭＡ、ＭＢの位置が４５度移動する。このため、先頭ランナー２６０の磁石ＭＡ、ＭＢの配置が、対向する先頭ランナーの磁石の配置と同じになるため、対向する磁石が同極になる。よって、第１の実施形態と同様に、先頭ランナー２６０と対向する先頭ランナー離隔する。
【００５０】
なお、本実施形態では、磁石ケース２６２ｆをピニオンギア２６２ｇとラックギア２６２ｉによって回転させるようにしたが、本発明はこの例に限定されない。
【００５１】
（第２の実施形態の効果）
以上説明したように、本実施形態によれば、カーテン生地１４０を下方に引くと、ラックギア２６２ｉが下降し、これによってピニオンギア２６２ｇが回転して、一方の先頭ランナー２６０の磁石ＭＡ、ＭＢが他方の先頭ランナーの磁石ＭＡ、ＭＢに対して相対回転する。このため、一方の先頭ランナー２６０と他方の先頭ランナーの磁石ＭＡ、ＭＢは同極同士が対向するようになるため、容易に先頭ランナー２６０同士の吸着を解除できる。
【００５２】
（第３の実施形態）
次に、第３の実施形態に係るカーテンについて、図１３を参照しながら説明する。本実施形態は、第２の実施形態の磁石ケース３６２ｆを駆動させる機構にクラッチバネを加えたものであり、その他の構成は第２の実施形態と同様である。図１３は、第３の実施形態の一方の先頭ランナー３６０を概略的に示す図である。
【００５３】
本実施形態では、上記第２の実施形態と異なる点を中心に説明する。以下の説明において、ランナーケース３６１、収容部３６１ａ、円筒部３６１ｃ、ハンガー部３６２、摺動部３６２ａ、バネ収容部３６２ｂ、ローラ３６３、バネ３６４、バネ押さえ３６５、ピニオンギア３６２ｇ、ギア収容部３６２ｈ、ラックギア３６２ｉについては、上記第２の実施形態のランナーケース２６１、収容部２６１ａ、円筒部２６１ｃ、ハンガー部２６２、摺動部２６２ａ、バネ収容部２６２ｂ、ローラ２６３、バネ２６４、バネ押さえ２６５、ピニオンギア２６２ｇ、ギア収容部２６２ｈ、ラックギア２６２ｉと同様の点については、重複説明を省略する
【００５４】
（先頭ランナー３６０）
先頭ランナー３６０は、図１３に示したように、磁石ＭＡ、ＭＢが設けられる磁石ケース３６２ｆを備えている。磁石ケース３６２ｆは、図１３（ｂ）に示したように、大径部３６２ｄと小径部３６２ｅとが同軸に配置されて構成されている。大径部３６２ｄの後端部は周方向の一部に切欠き部３６２ｊが形成された略円筒状に構成されており、略円筒状内に小径部３６２ｅの前端部が配置された構成となっている。小径部３６２ｅの前端部には、径方向に扇状の突出部３６２ｋが形成されており、突出部３６２ｋが大径部３６２ｄの切欠き部３６２ｊに配置されている。
【００５５】
大径部３６２ｄと小径部３６２ｅの前端部は図１３（ａ）に示すように、クラッチバネ３７０を介して円筒部３６１ｃに配置されている。クラッチバネ３７０の両先端は、図１３（ｂ）に示すように、大径部３６２ｄの切欠き部３６２ｊと突出部３６２ｋの両側部との間に配置され、大径部３６２ｄ、小径部３６２ｅ、切欠き部３６２ｊ、突出部３６２ｋ及びクラッチバネ３７０によって回転規制部（移動規制部）が構成される。
【００５６】
次に、先頭ランナー３６０の動作について、図１４を参照しながら説明する。図１４（ａ）の矢印Ｇに示したように、ハンガー部３６２に下方に引っ張る力が働くと、バネ３６４の付勢力に抗してハンガー部３６２が下降する。このため、摺動部３６２ａが下降するので、ラックギア３６２ｉも下降する。ラックギア３６２ｉの下降によって、これと噛み合っているピニオンギア３６２ｇが４５度回転する。この回転によってピニオンギア３６２ｇは、突出部３６２ｋがクラッチバネ３７０の先端をクラッチバネ３７０を緩める方向に回転する。よって、磁石ケース３６２ｆの回転が許容される。
【００５７】
この回転によって、磁石ケース３６２ｆは４５度回転するため、磁石ＭＡ、ＭＢの位置が４５度移動する。このため、先頭ランナー３６０の磁石ＭＡ、ＭＢの配置が、対向する先頭ランナーの磁石の配置と同じになるため、対向する磁石が同極になる。よって、第１の実施形態と同様に、先頭ランナー３６０と対向する先頭ランナーが離間する。
【００５８】
次に、ハンガー部３６２に下方に引っ張る力が働いていない場合、図１４（ｂ）に示すように、バネ３６４の付勢力により摺動部３６２ａが上昇した位置にある。この状態では、大径部３６２ｄがクラッチバネ３７０の先端を押圧し、クラッチバネ３７０が拡がる。よって、大径部３６２ｄの回転が規制されるため、磁石ケース３６２ｆの位置が固定される。
【００５９】
よって、例えば、対向する他方の先頭ランナーにも、先頭ランナー３６０の磁石ケース３６２ｆが回転する同じ機構を使用した場合、対向する先頭ランナーのハンガー部に下方に引っ張る力が働くと、磁石ケースが回転して磁石の位置が移動する。しかし、先頭ランナー３６０の磁石ケース３６２ｆの回転がクラッチバネ３７０によって規制されているため、対向する先頭ランナーの磁石の吸着力によって、磁石ケース３６２ｆが供回りしない。よって、対向する先頭ランナーの磁石が先頭ランナー３６０の磁石ＭＡ、ＭＢと確実に相対回転し、対向する先頭ランナーの磁石の配置が先頭ランナー３６０の磁石ＭＡ、ＭＢの配置と同じになるので、対向する磁石が同極になる。よって、第１の実施形態と同様に、先頭ランナー３６０と対向する先頭ランナーが離間する。
【００６０】
（第３の実施形態の効果）
以上説明したように、本実施形態によれば、第２の実施形態の効果に加え、ハンガー部３６２に下方に引っ張る力が働いていない場合、クラッチバネ３７０によって磁石ケース３６２ｆの回転が規制される。このため、一方の先頭ランナー３６０と他方の先頭ランナーとを同じ構成にしても、一方の先頭ランナー３６０の磁石ケース３６２ｆが回転しても、一方の先頭ランナー３６０の磁石ＭＡ、ＭＢの吸着力によって、他方の先頭ランナーの磁石ケースが供回りしない。よって、どちらのカーテン生地を引き操作しても先頭ランナー同士の吸着を解除することができる。また、対向する両先頭ランナーを同じ構成にできるので、部品を共有化することができるとともに、どちらのカーテン生地を引き操作しても先頭ランナー同士の吸着を解除することができる。なお、本実施形態で説明した磁石ケースが供回りしない構成、すなわち、磁石の移動を規制する移動規制部の技術思想は、上記第１の実施形態にも採用することができる。
【００６１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６２】
例えば、上記実施形態では、２枚のカーテン生地が吊り下げられたカーテンとし、２枚のカーテン生地の隣り合う端部に一対の先頭ランナーを設ける構成としたが、本発明はこの例に限定されない。例えば、１枚のカーテン生地が吊り下げられたカーテンの場合、一方の先頭ランナーをカーテン生地の端部に設け、窓枠あるいはカーテンレール端部などに設けられた第２の磁石あるいは金属プレートなどの磁性体に吸着するようにしてもよい。
【００６３】
また、例えば、上記実施形態では、先頭ランナーにカーテン生地の引き操作による負荷が掛かると、第１の磁石が相対移動して第２の磁石と対向する面が同極となり、一対の先頭ランナー同士の吸着が解除される構成としたが、本発明はこの例に限定されない。例えば、第１の磁石が相対移動した位置の対向する面には、磁石が設けられていない構成としてもよい。
【００６４】
また、例えば、上記実施形態では、先頭ランナーにカーテン生地の引き操作による負荷が掛かると、第１の磁石が相対移動して第２の磁石と対向する面が同極となり、一対の先頭ランナー同士の吸着が解除される構成としたが、本発明はこの例に限定されない。例えば、第２の磁石の代わりに金属プレートなどの磁性体を設け、第１の磁石が相対移動した位置の対向する面には、樹脂プレートなどの非磁性体が設けられている構成としてもよい。
【００６５】
また、例えば、上記実施形態では、ハンガー部の摺動によって磁石が連動して相対移動する構成としたが、本発明はこの例に限定されない。
【００６６】
また、例えば、上記実施形態では、第１の磁石及び第２の磁石はＮ極とＳ極とが上下方向に配置される構成としたが、本発明はこの例に限定されない。例えば、Ｎ極とＳ極とが左右方向に配置されたり、斜めに配置されたりしてもよい。
【符号の説明】
【００６７】
１００  カーテン
１２０  カーテンレール
１４０、１４０−１、１４０−２  カーテン生地
１４１  フック
１６０、１８０、２６０、３６０  先頭ランナー
１６１、１８１、２６１、３６１  ランナーケース
１６１ａ、１８１ａ、２６１ａ、３６１ａ  収容部
１６１ｂ  突出部
１６２、１８２、２６２、３６２  ハンガー部
１６２ａ、２６２ａ、３６２ａ  摺動部
１６２ｂ、２６２ｂ、３６２ｂ  バネ収容部
１６２ｃ、１８２ｃ、２６２ｃ、３６２ｃ  穴部
１６３、１８３、２６３、３６３  ローラ
１６３ａ  回転軸
１６４、２６４、３６４  バネ
１６５、２６５、３６５  バネ押さえ
１８１ｃ  リブ
１８２ａ  嵌合部
１８２ｂ  係合部
２６１ｃ、３６１ｃ  円筒部
２６２ｄ、３６２ｄ  大径部
２６２ｅ、３６２ｅ  小径部
２６２ｆ、３６２ｆ  磁石ケース
２６２ｇ、３６２ｇ  ピニオンギア
２６２ｈ、３６２ｈ  ギア収容部
２６２ｉ、３６２ｉ  ラックギア
３６２ｊ  切欠き部
３６２ｋ  突出部
３７０  クラッチバネ
Ｍ、ＭＡ、ＭＢ  磁石
Ｒ  ランナー
【図１】
0006535277.tif 000002
【図２】
0006535277.tif 000003
【図３】
0006535277.tif 000004
【図４】
0006535277.tif 000005
【図５】
0006535277.tif 000006
【図６】
0006535277.tif 000007
【図７】
0006535277.tif 000008
【図８】
0006535277.tif 000009
【図９】
0006535277.tif 000010
【図１０】
0006535277.tif 000011
【図１１】
0006535277.tif 000012
【図１２】
0006535277.tif 000013
【図１３】
0006535277.tif 000014
【図１４】
0006535277.tif 000015